(57)【要約】【課題】  リンク先の指定や画像検索等の複雑な操作を省き、細かい配置を行うことを不要とし、作業効率性や作業正確性の向上が可能なコンテンツ作成方法及び装置を提供する。【解決手段】  編集中表示画面と編集済表示画面とを関連付ける操作により、位置制御部１１が、メタ情報を保持した編集済表示画面ファイル２１における編集済表示画面の情報が格納されている位置を特定し、編集済表示画面ファイル制御部１２が、編集済表示画面ファイル２１のメタ情報からオブジェクト情報を選定し、編集中表示画面ファイル制御部１６が、格納位置情報及びオブジェクト情報を、編集中表示画面ファイルに画面表示情報として記述する。【選択図】  図３
2005322045.tif 000002
【特許請求の範囲】
【請求項１】
複数のオブジェクトが表示される画面上で、予め設定されたオブジェクトの動作に従って画面が遷移するように、編集中の表示画面に関する情報を保持するファイルと、既に編集済の表示画面に関する情報を保持するファイルとを用いて画面表示情報のコンテンツを作成する方法であって、
編集中表示画面に表示されるオブジェクトを一意に指定する情報がメタ情報として記述され、当該メタ情報を保持した編集済表示画面ファイルに対して、編集中表示画面と編集済表示画面とを関連付ける操作により、編集済表示画面の情報が格納されている位置を特定し、
当該特定した格納位置情報により、前記編集済表示画面ファイルのメタ情報からオブジェクト情報を選定し、
前記特定した格納位置情報、及び前記選定したオブジェクト情報を、前記編集中表示画面ファイルに画面表示情報として記述することを特徴とするコンテンツ作成方法。
【請求項２】
複数のオブジェクトが表示される画面上で、予め設定されたオブジェクトの動作に従って画面が遷移するように、編集中の表示画面に関する情報を保持するファイルと、既に編集済の表示画面に関する情報を保持するファイルとを用いて画面表示情報のコンテンツを作成するコンテンツ作成装置であって、
編集中表示画面に表示されるオブジェクトを一意に指定する情報がメタ情報として記述され、当該メタ情報を保持する編集済表示画面ファイルと、
編集中表示画面と編集済表示画面とを関連付ける操作により、前記編集済表示画面ファイルにおける編集済表示画面の情報が格納されている位置を特定する位置制御部と、
当該位置制御部により特定された格納位置情報により、前記編集済表示画面ファイルのメタ情報からオブジェクト情報を選定する編集済表示画面ファイル制御部と、
前記位置制御部により特定された格納位置情報、及び前記編集済表示画面ファイル制御部により選定されたオブジェクト情報を、前記編集中表示画面ファイルに画面表示情報として記述する編集中表示画面ファイル制御部とを備えたことを特徴とするコンテンツ作成装置。
【請求項３】
請求項２に記載のコンテンツ作成装置において、
前記オブジェクト情報に加えて、編集中表示画面に表示されるボタンオブジェクトの種類を一意に指定する情報と、当該ボタンの動作を実行するために必要な実行モジュールを一意に指定する情報とが記述されたメタ情報を保持する編集済表示画面ファイルと、
編集済表示画面ファイルのメタ情報から、前記オブジェクト情報に加えて、ボタンオブジェクト種類情報及び実行モジュール情報を選定する編集済表示画面ファイル制御部と、
当該編集済表示画面ファイル制御部により選定されたボタンオブジェクト種類情報及び実行モジュール情報に基づいて、編集中表示画面に表示されるボタンオブジェクト情報を指定するボタン指定部とを備え、
前記編集中表示画面ファイル制御部は、格納位置情報及びオブジェクト情報に加えて、ボタン指定部により指定されたボタンオブジェクト情報、及び編集済表示画面ファイル制御部により選定された実行モジュール情報を、前記編集中表示画面ファイルに画面表示情報として記述することを特徴とするコンテンツ作成装置。
【請求項４】
請求項３に記載のコンテンツ作成装置において、
編集中表示画面に表示されるボタンオブジェクトを決定するための情報が記述されたメタ情報を保持する編集中表示画面ファイルを備え、
前記ボタン指定部は、当該編集中表示画面ファイルが保持するメタ情報のボタンオブジェクト決定情報、及び前記編集済表示画面ファイル制御部により選定されたボタンオブジェクト情報並びに実行モジュール情報に基づいて、ボタンオブジェクト情報を指定することを特徴とするコンテンツ作成装置。
【請求項５】
請求項２から４までのいずれか一項に記載のコンテンツ作成装置において、
前記編集済画面表示ファイルは、さらに、編集中表示画面に表示されるオブジェクトの配置及び動作を指定する情報が記述されたメタ情報を保持し、
前記編集済表示画面ファイル制御部は、さらに、編集済表示画面ファイルのメタ情報から、配置及び動作情報を選定し、
前記編集中表示画面ファイル制御部は、編集済表示画面ファイル制御部により選定された配置及び動作情報も、前記編集中表示画面ファイルに画面表示情報として記述することを特徴とするコンテンツ作成装置。
【請求項６】
請求項５に記載のコンテンツ作成装置において、
編集中表示画面に表示されるボタンオブジェクトを決定するための情報、編集中表示画面に表示されるオブジェクトの配置及び動作規則を規定した情報、及びオブジェクトの配置及び動作情報を選択するための優先規則を規定した情報が記述されたメタ情報を保持する編集中表示画面ファイルと、
当該編集中表示ファイルが保持するメタ情報の優先規則情報、配置及び動作規則情報、及び前記編集済表示画面ファイル制御部により選定された配置及び動作情報に基づいて、配置及び動作情報を指定する配置動作指定部とを備え、
前記編集中表示画面ファイル制御部は、編集済表示画面ファイル制御部により選定された配置及び動作情報の代わりに、配置動作指定部により指定された配置及び動作情報を、前記編集中表示画面ファイルに画面表示情報として記述することを特徴とするコンテンツ作成装置。
【請求項７】
請求項２から６までのいずれか一項に記載のコンテンツ作成装置において、
前記編集中表示画面と編集済表示画面とを関連付ける操作を、ポインティング装置を用いて行うドラッグアンドドロップ操作とすることを特徴とするコンテンツ作成装置。
【請求項８】
請求項７に記載のコンテンツ作成装置において、
前記ドラッグアンドドロップ操作を、複数の編集済表示画面をドラッグし、一の編集中表示画面にドロップする操作とすることを特徴とするコンテンツ作成装置。
【請求項９】
請求項２から８までのいずれか一項に記載のコンテンツ作成装置において、
前記編集中表示画面と編集済表示画面とを関連付ける一連の操作を画面に逐一表示することを特徴とするコンテンツ作成装置。
【請求項１０】
請求項２から９までのいずれか一項に記載のコンテンツ作成装置において、
さらに、前記編集中表示画面ファイル制御部により編集中表示画面ファイルに画面表示情報として記述される各種の情報を、同一のディレクトリ配下に移動させる移動部を備えたことを特徴とするコンテンツ作成装置。
【発明の詳細な説明】
【技術分野】
【０００１】
本発明は、表示画面上においてリンク先を指定する際に、主にオブジェクトを用いて作成されるコンテンツの作成方法及び装置に関する。
【背景技術】
【０００２】
一般に、画面上に表示するコンテンツを作成するために、作成中のコンテンツに対して他のコンテンツを引き出すための関連付けを行い、この関連付けをリンクとして構築するコンテンツ作成装置が知られている。例えば、日本ＩＢＭ株式会社製のホームページビルダー７等に代表されるコンテンツ作成装置では、作成中のコンテンツに対して、既に作成済みのコンテンツへのリンク関係を構築する場合、編集者が、既に作成済みのコンテンツにおける複数のオブジェクトの中から特定のオブジェクトの画像等を選択して設定し、そのオブジェクトのリンク先である格納位置を入力する。
【０００３】
また、コンテンツ作成装置の例として、編集者が、ポインティング装置を用いて作成済みのリンク先オブジェクトを選択し、そのオブジェクトを作成中のリンク元オブジェクトに配置することにより、リンク関係を構築する技術も開示されている（例えば、特許文献１を参照。）。
【０００４】
【特許文献１】特開平６−１１０６７５号公報（段落〔０００６〕、図４）
【発明の開示】
【発明が解決しようとする課題】
【０００５】
しかしながら、前者のコンテンツ作成装置では、編集者自身が文字入力装置等を用いてオブジェクトのリンク先である格納位置を入力する必要があるため、操作が複雑になるという問題があった。また、後者のコンテンツ作成装置では、ポインティング装置により指定されたオブジェクトの所定の位置に、作成済みのオブジェクトを表示する仕組みになっているため、複数のリンクを一括して指定する場合や、予め表示位置が決定しているコンテンツを指定する場合であっても、ポインティング装置を用いて一つ一つ指定操作を行う必要があり、操作が細かくなるという問題があった。このため、編集者の作業効率性や作業正確性を向上させることが要望されていた。
【０００６】
そこで、本発明は、上述の問題を解決するためになされたものであり、その目的は、既にリンク先のコンテンツが作成されている状態で、リンク先を指定してコンテンツを作成する場合に、リンク先の指定やオブジェクトに該当するページの画像検索等の複雑な操作を省くことができ、ポインティング装置を用いてオブジェクトを操作するときに細かい配置を行うことを不要とし、作業効率性や作業正確性の向上が可能なコンテンツ作成方法及び装置を提供することにある。
【課題を解決するための手段】
【０００７】
本発明のコンテンツ作成方法及びコンテンツ作成装置は、複数のオブジェクトが表示される画面上で、予め設定されたオブジェクトの動作に従って画面が遷移するように、編集中の表示画面に関する情報を保持するファイルと、既に編集済の表示画面に関する情報を保持するファイルとを用いて画面表示情報のコンテンツを作成する場合に、編集済表示画面ファイルが、編集中表示画面に表示されるオブジェクトを一意に指定する情報が記述されたメタ情報を保持し、位置制御部が、編集中表示画面と編集済表示画面とを関連付ける操作により、前記編集済表示画面ファイルにおける編集済表示画面の情報が格納されている位置を特定し、編集済表示画面ファイル制御部が、当該位置制御部により特定された格納位置情報により、前記編集済表示画面ファイルのメタ情報からオブジェクト情報を選定し、編集中表示画面ファイル制御部が、前記位置制御部により特定された格納位置情報、及び前記編集済表示画面ファイル制御部により選定されたオブジェクト情報を、前記編集中表示画面ファイルに画面表示情報として記述することを特徴とする。
【０００８】
本発明によれば、編集済表示画面ファイルに保持されたメタ情報を用いて、編集済表示画面ファイルと編集中表示画面ファイルとのリンク関係、及び編集中表示画面に表示されるオブジェクトを決定することができる。この場合、コンテンツ作成者は、予めオブジェクト情報をメタ情報として編集済表示画面ファイルに保持させておき、編集中表示画面と編集済表示画面とを関連付ける操作を行うことにより、簡単にコンテンツを作成することができる。
【０００９】
また、本発明のコンテンツ作成装置は、前記オブジェクト情報に加えて、編集中表示画面に表示されるボタンオブジェクトの種類を一意に指定する情報と、当該ボタンの動作を実行するために必要な実行モジュールを一意に指定する情報とが記述されたメタ情報を保持する編集済表示画面ファイルと、編集済表示画面ファイルのメタ情報から、前記オブジェクト情報に加えて、ボタンオブジェクト種類情報及び実行モジュール情報を選定する編集済表示画面ファイル制御部と、当該編集済表示画面ファイル制御部により選定されたボタンオブジェクト種類情報及び実行モジュール情報に基づいて、編集中表示画面に表示されるボタンオブジェクトの情報を指定するボタン指定部とを備え、前記編集中表示画面ファイル制御部が、格納位置情報及びオブジェクト情報に加えて、ボタン指定部により指定されたボタンオブジェクト情報、及び編集済表示画面ファイル制御部により選定された実行モジュール情報を、前記編集中表示画面ファイルに画面表示情報として記述することを特徴とする。また、編集中表示画面に表示されるボタンオブジェクトを決定するための情報が記述されたメタ情報を保持する編集中表示画面ファイルを備え、前記ボタン指定部が、当該編集中表示画面ファイルが保持するメタ情報のボタンオブジェクト決定情報、及び前記編集済表示画面ファイル制御部により選定されたボタンオブジェクト情報並びに実行モジュール情報に基づいて、ボタンオブジェクト情報を指定することを特徴とする。
【００１０】
本発明によれば、編集済表示画面ファイルに保持されたメタ情報、または編集済表示画面ファイル及び編集中表示画面ファイルに保持されたメタ情報を用いて、オブジェクト選択状態時に表示させるボタンオブジェクト、及びボタンの動作を決定することができる。この場合、コンテンツ作成者は、予め、ボタンオブジェクト種類情報及び実行モジュール情報をメタ情報として編集済表示画面ファイルに保持させておき、またはこれに加えて、ボタンオブジェクト決定情報を編集中表示画面ファイルに保持させておき、編集中表示画面と編集済表示画面とを関連付ける操作を行うことにより、簡単にコンテンツを作成することができる。
【００１１】
また、本発明のコンテンツ作成装置は、前記編集済画面表示ファイルが、さらに、編集中表示画面に表示されるオブジェクトの配置及び動作を指定する情報が記述されたメタ情報を保持し、前記編集済表示画面ファイル制御部が、さらに、編集済表示画面ファイルのメタ情報から、配置及び動作情報を選定し、前記編集中表示画面ファイル制御部が、編集済表示画面ファイル制御部により選定された配置及び動作情報も、前記編集中表示画面ファイルに画面表示情報として記述することを特徴とする。また、編集中表示画面に表示されるボタンオブジェクトを決定するための情報、編集中表示画面に表示されるオブジェクトの配置及び動作規則を規定した情報、及びオブジェクトの配置及び動作情報を選択するための優先規則を規定した情報が記述されたメタ情報を保持する編集中表示画面ファイルと、当該編集中表示ファイルが保持するメタ情報の優先規則情報、配置及び動作規則情報、及び前記編集済表示画面ファイル制御部により選定された配置及び動作情報に基づいて、配置及び動作情報を指定する配置動作指定部とを備え、前記編集中表示画面ファイル制御部が、配置動作指定部により指定された配置及び動作情報を、前記編集中表示画面ファイルに画面表示情報として記述することを特徴とする。
【００１２】
本発明によれば、編集済表示画面ファイルに保持されたメタ情報、または編集済表示画面ファイル及び編集中表示画面ファイルに保持されたメタ情報を用いて、オブジェクトの配置及び動作を決定することができる。この場合、コンテンツ作成者は、予め、オブジェクトの配置及び動作情報をメタ情報として編集済表示画面ファイルに保持させておき、またはこれに加えて、優先規則情報、配置及び動作規則情報を編集中表示画面ファイルに保持させておき、編集中表示画面と編集済表示画面とを関連付ける操作を行うことにより、簡単にコンテンツを作成することができる。
【００１３】
また、本発明のコンテンツ作成装置は、前記編集中表示画面と編集済表示画面とを関連付ける操作を、ポインティング装置を用いて行うドラッグアンドドロップ操作とすることを特徴とする。また、前記ドラッグアンドドロップ操作を、複数の編集済表示画面をドラッグし、一の編集中表示画面のドロップする操作とすることを特徴とする。
【００１４】
本発明によれば、コンテンツ作成者は、ドラッグアンドドロップ操作を行うことにより、オブジェクト等を決定するから、さらに簡単にコンテンツを作成することができる。
【００１５】
また、本発明のコンテンツ作成装置は、前記編集中表示画面と編集済表示画面とを関連付ける一連の操作を画面に逐一表示することを特徴とする。
【００１６】
また、本発明のコンテンツ作成装置は、さらに、前記編集中表示画面ファイル制御部により編集中表示画面ファイルに画面表示情報として記述される各種の情報を、同一のディレクトリ配下に移動させる移動部を備えたことを特徴とする。
【発明の効果】
【００１７】
以上のように、本発明によれば、コンテンツ作成者は、文字入力装置等を用いてオブジェクトのリンク先である格納位置を入力する必要がなく、操作が複雑になることもない。これにより、コンテンツ作成者の作業効率性や作業正確性を向上させることが可能となる。
【発明を実施するための最良の形態】
【００１８】
以下、本発明の実施の形態について、図面を参照して詳細に説明する。
図１は、本発明の実施の形態に係るコンテンツ作成装置により作成されたコンテンツ画面表示例である。この画面は、擬似三次元表示空間に複数のオブジェクトの画像を配置して表示されるコンテンツの例である。初期状態画面には、ＯＢＪ−Ａ，ＯＢＪ−Ｂ等の複数のオブジェクトの画像が表示されている。ＯＢＪ−Ａのオブジェクトには、当該箇所をマウス等を用いてクリックすることにより所定のリンク先に遷移する動作（パターン１）、または、図１の下部に示すオブジェクト選択時画面のように、ＯＢＪ−Ａのオブジェクトの画像を最前面に拡大表示すると共にＢＯＢＪ−Ａ，Ｂのボタンオブジェクトの画像を表示するように状態遷移する動作（パターン２）が定義されている。また、ＢＯＢＪ−Ａのボタンオブジェクトには、当該箇所をクリックすることにより外部ファイルを呼び出す動作が定義されており、ＢＯＢＪ−Ｂのボタンオブジェクトには、当該箇所をクリックすることにより所定のリンク先に遷移する動作が定義されている。
【００１９】
図２は、本発明の実施の形態に係るコンテンツ作成装置に対してコンテンツ作成者が操作を行う画面であり、具体的には、編集済表示画面を編集中表示画面にドラッグアンドドロップの操作を行い、オブジェクトのリンク関係を生成するイメージ図である。図２の左部に、表示画面が編集される編集中表示画面のウィンドウ１が表示されている。この編集中表示画面情報は、編集中表示画面ファイルとしてメタ情報と共に管理されている。詳細については後述する。また、同図の右部に、既に編集済みの編集済表示画面ファイルの一覧として、編集済表示画面Ａ４−１，編集済表示画面Ｂ４−２及び編集済表示画面Ｃ４−３等を表示したウィンドウ２が表示されている。これらの編集済表示画面情報は、編集済表示画面ファイルとしてメタ情報と共に一元管理されている。詳細については後述する。
【００２０】
コンテンツ作成者は、マウスを用いて、ファイル一覧表示ウィンドウ２から編集済表示画面Ａ４−１を選択してドラッグし、表示画面編集ウィンドウ１にドロップする操作を行う。そうすると、表示画面編集ウィンドウ１には、編集済表示画面Ａ４−１であるオブジェクト３の画像が表示される。この場合、編集済表示画面Ａ４−１のオブジェクトには、オブジェクト情報、ボタンオブジェクト情報等の種々の情報が既に定義されており、ドラッグアンドドロップの操作によって、表示画面編集ウィンドウ１の編集中表示画面と編集済表示画面Ａ４−１との間のリンクが確立する。この場合、コンテンツ作成者は、ファイル一覧表示ウィンドウ２から複数の編集済表示画面を選択してドラッグし、表示画面編集ウィンドウ１にこれら複数の編集済表示画面をドロップするようにしてもよい。尚、表示画面編集ウィンドウ１の左部のオブジェクト部には、当該表示画面編集ウィンドウ１の編集中表示画面への遷移が定義されるオブジェクトの画像が表示される。このオブジェクトは、当該編集中表示画面の上位階層に位置する他の編集用表示画面において、ドラッグアンドドロップ操作が行われる。
【００２１】
次に、図３及び４を参照して、本発明の実施の形態に係るコンテンツ作成装置１０の構成及び動作の概要について説明する。図３は、コンテンツ作成者がドラッグアンドドロップ操作を行った場合におけるコンテンツ作成装置１０の各機能の関連を示すブロック図である。本コンテンツ作成装置１０は、マウス等のポインティング装置３０からコンテンツ作成者の操作内容を読み取る位置制御部１１、編集済表示画面情報が格納されている編集済表示画面ファイル２１、編集済表示画面ファイル２１からメタ情報を取得して所定の制御を行う編集済表示画面ファイル制御部１２、オブジェクトを指定するオブジェクト指定部１３、オブジェクトの動作及び配置を指定する動作・レイアウト指定部１４、ボタン部品情報が格納されているボタン部品群ファイル２３、ボタン部品群ファイル２３を用いてボタンを指定するボタン指定部１５、編集中表示画面情報が格納されている編集中表示画面ファイル２２、編集中表示画面ファイル２２からメタ情報を取得して所定の制御を行う編集中表示画面ファイル制御部（基準パス変換制御部）１６、ＣＲＴ等のディスプレイ４０に表示する編集中表示画面情報を制御するディスプレイ制御部１７を備えている。
【００２２】
図４は、図３に示したコンテンツ作成装置１０の動作を示すフロー図である。本図は、コンテンツ作成者がドラッグアンドドロップ操作を行った場合のコンテンツ作成装置１０におけるデータの流れを示している。図２に示したように、コンテンツ作成者がポインティング装置３０を用いて、ファイル一覧表示ウィンドウ２の複数の編集済表示画面４−１〜４−３等の中から所望の編集済表示画面４−１を選択し、表示画面編集ウィンドウ１の編集中表示画面においてその編集済表示画面４−１を配置する操作を行う。すなわち、コンテンツ作成者は、所望の編集済表示画面４−１指定して、ドラッグアンドドロップの操作を行う。
【００２３】
位置制御部１１は、前記ドラッグアンドドロップの操作内容を読み取る。そして、ドラッグアンドドロップ操作で選択した編集済表示画面のファイル情報（図２に示した編集済表示画面４−１の情報）が格納されている編集済表示画面ファイル２１における格納位置情報（格納位置を示すパス情報）を、編集済表示画面ファイル制御部１２及び位置制御部１１に送出する（ステップ１０１，１０２）。
【００２４】
編集済表示画面ファイル制御部１２は、位置制御部１１から編集済表示画面ファイルの格納位置情報を受け取ると、当該格納位置情報に基づいて編集済表示画面ファイル２１から編集済表示画面ファイルが保持するメタ情報を取得する。そして、当該メタ情報から、オブジェクトを一意に指定する情報、オブジェクトの配置・動作情報、ボタンオブジェクトの種類を一意に指定する情報及びボタンオブジェクトの動作を実行するために必要な実行モジュールを一意に指定する情報を選定し、オブジェクト情報をオブジェクト指定部１３に（ステップＳ１０３）、配置・動作情報を動作・レイアウト指定部１４に（ステップＳ１０４）、ボタンオブジェクト種類情報及び実行モジュール情報をボタン指定部１５に（ステップＳ１０５）それぞれ送出する。
【００２５】
オブジェクト指定部１３は、編集済表示画面ファイル制御部１２からオブジェクト情報を受け取ると、当該オブジェクト情報を動作・レイアウト指定部１４、ボタン指定部１５及び編集中表示画面ファイル制御部１６にそれぞれ送出する（ステップＳ１０６，１０７，１０８）。
【００２６】
動作・レイアウト指定部１４は、編集済表示画面ファイル制御部１２から配置・動作情報を、オブジェクト指定部１３からオブジェクト情報を、編集中表示画面ファイル制御部１６から配置・動作優先順位規則情報及び配置・動作規則情報を受け取る（ステップＳ１０９）。そして、配置・動作優先規則情報に基づいて、配置・動作情報をそのまま編集中表示画面ファイル制御部１６に送出するか否かを決定する。そのまま送出すると決定した場合には、配置・動作情報を編集中表示画面ファイル制御部１６にそのまま送出する（ステップＳ１１０）。そのまま送出しないと決定した場合には、配置・動作規則情報に基づいて新たな配置・動作を決定して配置・動作情報を生成し、当該新たな配置・動作情報を編集中表示画面ファイル制御部１６に送出する（ステップＳ１１０）。
【００２７】
ボタン指定部１５は、編集済表示画面ファイル制御部１２からボタンオブジェクト種類情報及び実行モジュール情報を、編集中表示画面ファイル制御部１６からボタンオブジェクト情報群を受け取る（ステップＳ１１１）。そして、ボタンオブジェクト種類情報、実行モジュール情報及びボタンオブジェクト情報群に基づいて、ボタン部品群ファイル２３から適用するボタンを取得し、ボタンオブジェクト情報を生成する。ボタン指定部１５は、生成したボタンオブジェクト情報及び実行モジュール情報を編集中表示画面ファイル制御部１６に送出する（ステップＳ１１２）。
【００２８】
編集中表示画面ファイル制御部１６は、編集中表示画面ファイル２２から編集中表示画面ファイルが保持するメタ情報を取得し、当該メタ情報から、配置・動作優先順位規則情報、配置・動作規則情報及びボタンオブジェクト情報群を選定し、前述のように、配置・動作優先順位規則情報及び配置・動作規則情報を動作・レイアウト指定部１４に送出し（ステップＳ１０９）、ボタンオブジェクト情報群をボタン指定部１５に送出する（ステップＳ１１１）。
【００２９】
また、編集中表示画面ファイル制御部１６は、オブジェクト指定部１３からオブジェクト情報を、位置制御部１１から編集済表示画面ファイルの格納位置情報をそれぞれ受け取る。そして、編集中表示画面ファイルが格納される基準パスの下で前記オブジェクト情報及び編集済表示画面の格納位置情報を管理するように変換し（オブジェクト情報及び編集済表示画面の格納位置情報を基準パスの下に複写し）、これらの情報を編集中表示画面ファイルに画面遷移先情報として記述する。また、編集中表示画面ファイル制御部１６は、動作・レイアウト指定部１４から配置・動作情報を受け取り、当該配置・動作情報を前記編集中表示画面ファイルに画面表示情報として記述する。
【００３０】
また、編集中表示画面ファイル制御部１６は、ボタン指定部１５からボタンオブジェクト情報及び実行モジュール情報を受け取る。そして、編集中表示画面ファイルが格納される基準パスの下で前記ボタンオブジェクト情報及び実行モジュール情報を管理するように変換し（ボタンオブジェクト情報及び実行モジュール情報を基準パスの下に複写し）、これらの情報を編集中表示画面ファイルに画面表示情報として記述する。さらに、編集中表示画面ファイル制御部１６は、編集中表示画面ファイルの画面表示情報をディスプレイ制御部１７に送出する（ステップＳ１１３）。
【００３１】
ディスプレイ制御部１７は、編集中表示画面ファイル制御部１６から編集中表示画面ファイルの画面表示情報をディスプレイ４０に表示させる。
【００３２】
尚、前述のコンテンツ作成により、編集中画面表示ファイル及び編集済画面表示ファイルに関するオブジェクト情報やボタン部品群等の各種情報が所定の基準ディレクトリ（パス）の下に格納されている場合には、コンテンツ作成装置１０は、他の基準ディレクトリの下にこれらの情報を移植（複写）するために、コンテンツの中に記述されている格納場所名（基準ディレクトリ名）を変換する手段を備えるようにしてもよい。これにより、他の環境において、コンテンツ作成装置１０で作成したコンテンツの動作と同じ動作を実現することができる。
【実施例】
【００３３】
次に、本発明のコンテンツ作成方法及び装置について、具体的な実施例を挙げてさらに詳細に説明する。以下の実施例は、図１に示したように、三次元空間上でオブジェクトが移動しながら表示され、そのオブジェクトを選択すると三次元空間上の手前に拡大表示され、同時にボタンオブジェクトも表示されるような表示システムを実現するためのコンテンツ作成装置１０の例である。
【００３４】
編集済表示画面ファイル２１には、三次元空間上で移動しながら表示されるオブジェクト、及び三次元空間上の手前に表示されるオブジェクトの編集済表示画面ファイルが格納されている。前述のように、編集済表示画面ファイル制御部１２は、編集済表示画面ファイルが保持するメタ情報から、オブジェクト情報、配置・動作情報、ボタンオブジェクト種類情報及び実行モジュール情報を選定する。本実施例では、この編集済表示画面ファイルが保持するメタ情報において、オブジェクトを一意に指定する情報（オブジェクト情報）を、画像ファイルのパス情報とする。また、オブジェクトの表示画面上における配置情報を、三次元空間上の点（ｘ，ｙ，ｚ）とし、オブジェクトの表示画面上における動作情報を、三次元空間上の回転中心点（Ｘ，Ｙ，Ｚ）と角速度γとする。また、ボタンオブジェクトの種類を一意に指定する情報（ボタンオブジェクト種類情報）を、リンク先への遷移動作（図１に示したパターン１）または動画ファイルの実行（図１に示したパターン２）のうちのいずれか一方を一意に指定する情報とし、ボタンオブジェクトの動作を実行するために必要な実行モジュールを一意に指定する情報（実行モジュール情報）を、動画ファイルを実行するためのパス情報とする。
【００３５】
編集中表示画面ファイル２２には、種々のオブジェクトの画像等が表示される三次元空間の編集中表示画面ファイルが格納されている。前述のように、編集中表示画面ファイル制御部１６は、編集中表示画面ファイルのメタ情報に基づいて、配置・動作優先順位規則情報、配置・動作規則情報及びボタンオブジェクト群を選定する。本実施例では、この編集中表示画面ファイルのメタ情報において、表示画面上に存在するオブジェクトの配置規則を規定した情報（配置規則情報）を、オブジェクトの配置位置を決定する関数Ｙｎ（ｎは、オブジェクトが編集中表示画面に追加された順番）とし、オブジェクトの動作規則を規定した情報（動作規則情報）を、三次元空間上の回転中心軸（ＡＸＩＳ）と角速度Γとする。また、オブジェクト選択時に表示されるボタンオブジェクトを一意に指定する情報郡（ボタンオブジェクト群）を、ボタンのデザイン、配置位置及び動作が記述されているボタン部品群とする。
【００３６】
このようなメタ情報を有する編集済表示画面ファイル及び編集中表示画面ファイルが編集済表示画面ファイル２１及び編集中表示画面ファイル２２にそれぞれ格納されている状態の下で、コンテンツ作成者がポインティング装置３０を用いて、ファイル一覧表示ウィンドウ２の複数の編集済表示画面４−１〜４−３等の中から所望の編集済表示画面（三次元空間上に表示されるオブジェクト）を選択し、表示画面編集ウィンドウ１において編集中表示画面（所定のオブジェクトが表示される三次元空間上の画面）に配置するドラッグアンドドロップ操作を行う。すなわち、コンテンツ作成者は、ドラッグアンドドロップの操作を行う。コンテンツ作成装置１０は、ドラッグアンドドロップの操作内容を読み取り、三次元空間上で移動しながら表示され、そのオブジェクトを選択すると所定の状態に遷移する動作が既に定義された編集済表示画面ファイルが保持するメタ情報、及び、三次元空間上におけるオブジェクトの配置・動作優先順位規則、配置・動作規則及びボタンオブジェクト群が定義された編集中表示画面ファイルが保持するメタ情報から選定及び変換等した各種情報を編集中表示画面ファイルに記述し、編集中表示画面ファイルの画面表示情報をディスプレイ４０に表示させる。
【００３７】
以上のように、本発明の実施の形態によれば、既に編集済みの編集済表示画面ファイルに対する編集中表示画面ファイルのリンク関係を構築するのに、コンテンツ作成者が、コンテンツ作成装置１０において、ファイル一覧表示ウィンドウ２から編集済表示画面Ａ４−１を選定して表示画面編集ウィンドウ２へドラッグアンドドロップの操作を行うだけで済むから、画像等のオブジェクトの検索や文字入力装置を用いたリンク先の指定が不要となり、作業効率性及び作業正確性の向上を図ることができる。
【００３８】
また、一つのオブジェクトに対してリンク先が複数存在したり、別の動作が定義されたりする場合においても、コンテンツ作成者によるドラックアンドドロップ操作により、編集済表示画面ファイル及び編集中表示画面ファイルのメタ情報を用いて種々の情報が相互に関連付けられるから、この相互情報に基づいてコンテンツを解析及び決定することができ、コンテンツ作成者の単純作業が大幅に削減できる。
【００３９】
さらに、本発明の実施の形態に係るコンテンツ作成装置１０を用いて、専門的な知識を有するコンテンツ作成者がメタ情報のテンプレートを作成した場合には、専門的な知識を有さないコンテンツ作成者は、そのテンプレートに用いてドラックアンドドロップ操作を行うだけで、コンテンツの作成が可能となる。これにより、コンテンツ作成の専門知識に応じた分業が促進され、一般のコンテンツ作成者に特別なスキルを要求することなく、リッチコンテンツを作成することができるため、コンテンツ作成者を容易に増員することができ、有用なコンテンツの数を増やすことができる。
【００４０】
以上、実施の形態を挙げて本発明を説明したが、上記の説明は、本発明の理解を助けるものであって、本発明の特許請求の範囲を制限するものではない。従って、本発明の要旨を逸脱しない限り、種々変形が可能であり、本発明の目的を達し、効果を奏する範囲において、適宜変更することが可能である。
【００４１】
尚、上記コンテンツ作成装置１０は、ＣＰＵ、ＲＡＭ等の揮発性の記憶媒体、ＲＯＭ等の不揮発性の記憶媒体、キーボードやポインティングデバイス等の入力装置、画像やデータを表示するモニタ装置、及び外部の装置と通信をするためのインタフェースを備えたコンピュータによってそれぞれ構成されるようにしてもよい。この場合、コンテンツ作成装置１０に備えた位置制御部１１、編集済表示画面ファイル制御部１２、オブジェクト指定部１３、動作・レイアウト指定部１４、ボタン指定部１５、編集中表示画面ファイル制御部１６及びディスプレイ制御部１７の各機能は、当該機能を記述したプログラムをＣＰＵに実行させることによりそれぞれ実現される。また、これらのプログラムは、磁気ディスク（フロッピィーディスク、ハードディスク等）、光ディスク（ＣＤ−ＲＯＭ、ＤＶＤ等）、半導体メモリ等の記憶媒体に格納して頒布することもできる。
【図面の簡単な説明】
【００４２】
【図１】本発明の実施の形態に係るコンテンツ作成装置により作成されたコンテンツ表示画面例である。
【図２】コンテンツ作成装置に対してコンテンツ作成者が操作を行う画面例である。
【図３】コンテンツ作成装置の概要を示すブロック図である。
【図４】図３のコンテンツ作成装置の動作を示すフロー図である。
【符号の説明】
【００４３】
１  表示画面編集ウィンドウ
２  ファイル一覧表示ウィンドウ
３  オブジェクト
４−１  編集済表示画面Ａ
４−２  編集済表示画面Ｂ
４−３  編集済表示画面Ｃ
１０  コンテンツ作成装置
１１  位置制御部
１２  編集済表示画面ファイル制御部
１３  オブジェクト指定部
１４  動作・レイアウト指定部
１５  ボタン指定部
１６  編集中表示画面ファイル制御部
１７  ディスプレイ制御部
２１  編集済表示画面ファイル
２２  編集中表示画面ファイル
２３  ボタン部品群ファイル
３０  ポインティング装置
４０  ディスプレイ
【図１】
2005322045.tif 000003
【図２】
2005322045.tif 000004
【図３】
2005322045.tif 000005
【図４】
2005322045.tif 000006